(57)【特許請求の範囲】
【請求項１】
複数の光学素子を着脱自在に取り付けることが可能であって且つ平行直線移動可能な移動部材と、
前記複数の光学素子を切り換える場合において、前記移動部材を平行直線移動させる際に、前記光学素子を対象物から退避する方向に案内する案内部材とを備えていることを特徴とする光学素子切換装置。
【請求項２】
請求項１に記載した光学素子切換装置が組み込まれた光学顕微鏡であって、
複数の対物レンズを着脱自在に取り付けることが可能であって且つ平行直線移動可能な移動部材と、
前記複数の対物レンズを切り換える場合において、前記移動部材を平行直線移動させる際に、前記対物レンズを対象物から退避する方向に案内する案内部材とを備えていることを特徴とする光学顕微鏡。
【請求項３】
前記案内部材は、前記移動部材の平行直線移動に連動して前記対物レンズを前記光学顕微鏡の観察光軸に沿って移動させることが可能なカム溝を適用して構成されていることを特徴とする請求項２に記載の光学顕微鏡。
【発明の詳細な説明】
【０００１】
【発明の属する技術分野】
本発明は、複数の光学素子の位置を切り換えるための光学素子切換装置であって、例えば光学顕微鏡において、複数の対物レンズを観察光軸上に選択的に切り換えて位置付けるための光学素子切換装置に関する。
【０００２】
【従来の技術】
例えば生体細胞などの標本を観察する場合、細胞は、ディッシュ内の培養液中に固定することが多い。このような観察では、まず、低倍の対物レンズ（５倍以下）で標本の広い範囲を観察した後、高倍の対物レンズ（１０倍以上）で部分的な観察を行うのが普通である。なお、高倍の対物レンズは、培養液に浸して使用する水浸対物レンズが普通であり、対物レンズのピントを標本面に合わせた場合において、対物レンズの先端は、ディッシュの高さよりも下側即ちティッシュ内に位置することなる。
【０００３】
このような顕微鏡では、対物レンズを交換する際、対物レンズとディッシュとが干渉しないようにすることが重要である。
そこで、例えば実開平６−４７２０号公報には、対物レンズの交換時、ディッシュと対物レンズが干渉しないしように対物レンズを観察光軸に沿って標本とは逆方向に退避させる光学素子切換装置を備えた光学顕微鏡が開示されている。
このように、対物レンズ交換時に対物レンズを退避させておけば、ディッシュに干渉することを防ぐことができる。
【０００４】
【発明が解決しようとする課題】
しかしながら、実開平６−４７２０号公報の光学素子切換装置では、対物レンズ退避動作（光学素子退避動作）と対物レンズ交換動作（光学素子切換動作）とが夫々別個に独立して行われるため、誤って退避動作なしで変換動作をした場合には、対物レンズ（光学素子）とディッシュや標本等の対象物が干渉して、標本や対物レンズに損傷を与える可能性がある。
【０００５】
本発明は、このような問題を解決するために成されており、その目的は、光学素子と対象物とを干渉させること無く、光学素子を適宜選択的に切り換えることが可能な光学素子切換装置を提供することにある。
【０００６】
【課題を解決するための手段】
このような目的を達成するために、本発明の光学素子切換装置は、複数の光学素子を着脱自在に取り付けることが可能であって且つ平行直線移動可能な移動部材と、複数の光学素子を切り換える場合において、移動部材を平行直線移動させる際に、光学素子を対象物から退避する方向に案内する案内部材とを備える。
【０００７】
また、本発明の光学素子切換装置が組み込まれた光学顕微鏡において、複数の対物レンズを着脱自在に取り付けることが可能であって且つ平行直線移動可能な移動部材と、複数の対物レンズを切り換える場合において、移動部材を平行直線移動させる際に、対物レンズを対象物から退避する方向に案内する案内部材とを備えている。
【０００８】
【発明の実施の形態】
以下、本発明の第１の実施の形態に係る光学素子切換装置について、図１〜図４を参照して説明する。
図１には、本実施の形態の光学素子切換装置１３が組み込まれた対物レンズ上下動式正立顕微鏡の構成が示されている。
【０００９】
図１に示すように、顕微鏡本体１には、基部１ａと、この基部１ａに対して平行に立ち上げられたアーム部１ｂとが設けられている。
基部１ａには、ステージ３が配設されており、このステージ３上には、標本５を固定可能なディッシュ７がセットされている。なお、ステージ３は、標本５が固定されたディッシュ７を観察光軸Ａと垂直な平面内で２次元方向に移動させることができるように構成されている。
【００１０】
アーム部１ｂには、観察光軸Ａに沿って上下動可能に構成された可動体９が設けられており、基部１ａに設けられたハンドル１１を回転操作することによって観察光軸Ａに沿って可動体９を上下動させることができるようになっている。
【００１１】
そして、この可動体９には、本実施の形態の光学素子切換装置１３が組み込まれている。
光学素子切換装置１３は、複数の光学素子例えば作動距離（ＷＤ）の異なる複数（本実施の形態では、その一例として、２つ）の対物レンズ１５，１７を取り付けることができるようになっており、これら対物レンズ１５，１７を選択的にステージ３上の標本５に対して位置付けることができるようになっている。
【００１２】
なお、対物レンズの作動距離（ＷＤ）とは、焦点（ピント）が合った状態において、対物レンズの下端と標本５表面との間の距離であり、対物レンズの倍率が大きくなるに従って一般的に短くなる。
【００１３】
本実施の形態では、その一例として、対物レンズ１７として、略５倍以下の低倍の対物レンズ（以下、低倍対物レンズ１７という）を適用しており、その作動距離（ＷＤ）は、比較的長くなっている。一方、対物レンズ１５として、培養液に対物レンズ１５先端を浸けた状態で観察可能な水浸タイプの対物レンズ（一般的に、１０倍から６０倍程度の高倍を有する対物レンズ、以下、高倍対物レンズ１５という）を適用しており、その作動距離（ＷＤ）は、低倍の対物レンズよりも比較的短くなっている。
【００１４】
基部１ａには、観察用照明光を出射可能なランプハウス１９が取り付けられており、基部１ａ内には、ランプハウス１９からの観察用照明光を標本５まで導光するための少なくとも１個のレンズ２１と、ランプハウス１９からの観察用照明光をレンズ２１に向けて反射するミラー２３とが設けられている。
【００１５】
また、基部１ａには、ランプハウス１９からミラー２３及びレンズ２１を介して射出された観察用照明光を標本５に高率よく導光するためのコンデンサ２５が設けられている。なお、このコンデンサ２５は、コンデンサホルダ２７を介して基部１ａに光軸方向に移動可能な状態で保持されており、少なくとも１つのレンズ２９を有している。コンデンサホルダ２７は、コンデンサツマミ３１を回転操作することによって光軸Ａ方向に移動させることができるようになっている。
【００１６】
一方、アーム部１ｂには、鏡筒３３及び接眼レンズ３５が配設されている。
図２〜図４には、上述した対物レンズ上下動式正立顕微鏡に組み込まれた光学素子切換装置１３の構成が示されている。
【００１７】
図２及び図３に示すように、光学素子切換装置１３は、その上面にアリ３７が形成された固定枠３９を備えており、アリ３７を介して光学素子切換装置１３を上記可動体９に対して着脱させることができるようになっている。
【００１８】
固定枠３９には、ボールガイド機構４１を介して矢印Ｓ方向に平行直線移動させることが可能な移動部材４３が保持されている。
移動部材４３には、低倍対物レンズ１７を取付可能な第１の光学素子取付部４５と、高倍対物レンズ１５を取付可能な第２の光学素子取付部４７とが設けられている。
【００１９】
第１の光学素子取付部４５は、移動部材４３に一体成形されており、低倍対物レンズ１７を着脱自在に取り付けるためのネジ部４５ａを備えている。
第２の光学素子取付部４７には、移動部材４３に一体成形された嵌合孔４９に対して観察光軸Ａ方向に沿って移動自在に嵌合した光学素子取付体５１が設けられており、この光学素子取付体５１には、高倍対物レンズ１５を着脱自在に取り付けるためのネジ部５３が設けられている。
【００２０】
また、嵌合孔４９と光学素子取付体５１には、夫々テーパ面４９ａ，５１ａが設けられており、これらテーパ面４９ａ，５１ａが相互に接することによって、光学素子取付体５１の光軸方向Ａの下端位置が決まるようになっている。なお、テーパ面４９ａ，５１ａが相互に接した状態において、第１の光学素子取付部４５の下端位置と光学素子取付体５１の下端位置とは、互いに同一位置に位置付けられ、この状態において、高倍対物レンズ１５と低倍対物レンズ１７のピント位置が同じになるようになっている。
【００２１】
また、光学素子取付体５１には、観察光軸Ａに直交し且つ移動部材４３の移動方向Ｓに直交する方向に沿って、その両側に支持軸５５ａ，５５ｂが接続されており、これら支持軸５５ａ，５５ｂは、夫々、移動部材４３に形成された切欠部５７（図３参照）を介して固定枠３９の内面に設けられた案内部材に係合している。
【００２２】
本実施の形態において、案内部材は、その一例として、固定枠３９の内面に互いに対向して形成したカム溝５９ａ，５９ｂを適用して構成されており、これらカム溝５９ａ，５９ｂは、夫々、観察光軸Ａ方向に沿って延出した後、観察光軸Ａを直交する方向（矢印Ｓ方向に平行な水平方向）に沿って更に延出している。そして、支持軸５５ａ，５５ｂは、夫々、移動部材４３の切欠部５７を介して、これらカム溝５９ａ，５９ｂに対して摺動自在に係合している。
【００２３】
また、移動部材４３の両側には、夫々、回転軸６１ａ，６１ｂが固定されており、これら回転軸６１ａ，６１ｂには、操作レバー６３が回転自在に取り付けられている。
【００２４】
操作レバー６３は、移動部材４３を挟み込むような形状を成しており（図３参照）、その先端側には、夫々、支持軸５５ａ，５５ｂが貫通可能な長穴６５ａ，６５ｂが形成されている。
【００２５】
また、移動部材４３には、その片側に所定間隔で２つのクリック溝６７，６９が形成されており、一方、固定枠３９には、クリック溝６７，６９に嵌入可能なクリックバネ７１が設けられている（図３参照）。
【００２６】
また、固定枠３９には、ストッパ７３，７５が取り付けられており、移動部材４３を矢印Ｓ方向に平行直線移動させて、ストッパ７３に移動部材４３の当付面４３ａが当て付けられたとき（図２及び図４（ａ）参照）、高倍対物レンズ１５が観察光軸Ａ上に位置付けられ、一方、ストッパ７５に移動部材４３の当付面４３ｂが当て付けられたとき（図４（ｂ）参照）、低倍対物レンズ１７が観察光軸Ａ上に位置付けられるようになっている。
【００２７】
このようなクリック溝６７，６９とクリックバネ７１との構成配置において、例えば図２のように高倍対物レンズ１５が観察光軸Ａ上に位置付けられたとき、クリックバネ７１がクリック溝６９に嵌入することによって、ストッパ７３に対して移動部材４３の当付面４３ａを当て付ける方向の力を作用させる。
【００２８】
これに対して、低倍対物レンズ１７が観察光軸Ａ上に位置付けられたとき、クリップバネ７１がクリック溝６７に嵌入することによって、ストッパ７５に対して移動部材４３の当付面４３ｂを当て付ける方向の力を作用させる（図４（ｂ）参照）。
【００２９】
次に、本実施の形態の光学素子切換装置１３の動作について説明する。
まず、高倍対物レンズ１５を光学素子取付体５１に取り付けると共に、低倍対物レンズ１７を第１の光学素子取付部４５に取り付ける。そして、アリ３７を介して光学素子切換装置１３を顕微鏡本体１の可動体９に取り付ける。
【００３０】
この状態において、ストッパ７３に移動部材４３の当付面４３ａが当て付けられ、そして、嵌合孔４９と光学素子取付体５１の夫々のテーパ面４９ａ，５１ａが相互に接することによって、光学素子取付体５１の光軸方向Ａの下端位置が位置決めされているものとする。このとき、高倍対物レンズ１５が観察光軸Ａ上に位置付けられている（図２及び図４（ａ）参照）。
【００３１】
この状態において、ランプハウス１９から観察用照明光を出射させた後、ハンドル１１を回転操作して、可動体９を介して光学素子切換装置１３を観察光軸Ａに沿って上下動させることによって、標本５に対する高倍対物レンズ１５のピント位置が一致するように調整する。この時、標本５に照射する観察用照明光が最適となるようにコンデンサツマミ３１を回転操作してコンデンサホルダ２７を観察光軸Ａに沿って移動させる。
【００３２】
観察用照明で照らされた標本５の像光は、高倍対物レンズ１５によって拡大された状態で鏡筒３３から接眼レンズ３５に導光される。このとき、標本５の細部観察が可能となる。
【００３３】
ここで、標本５の広範囲観察をしたい場合、まず、操作レバー６３を下方に押し下げると、操作レバー６３は、回転軸６１ａ，６１ｂを中心に回転し、その先端側が上方に移動するため、支持軸５５ａ，５５ｂは、カム溝５９ａ，５９ｂに沿って上方に移動する。このとき、支持軸５５ａ，５５ｂによって支持された光学素子取付体５１が、観察光軸Ａに沿って上方に移動することによって、高倍対物レンズ１５は、観察光軸Ａに沿って上方に移動する。この結果、高倍対物レンズ１５の下端がディッシュ７から一定距離だけ離間（退避）するため、高倍対物レンズ１５は、ディッシュ７に対して干渉すること無く、平行直線移動可能な状態となる。
【００３４】
続いて、操作レバー６３を押し込むと、移動部材４３は、ボールガイド機構４１によって矢印Ｓ方向に平行直線移動し、その当付面４３ｂがストッパ７５に当て付いたとき、クリックバネ７１がクリック溝６７に嵌入することによって、ストッパ７５に移動部材４３の当付面４３ｂが圧接される。このとき、観察光軸Ａ上には、低倍対物レンズ１７が位置付けられる（図４（ｂ）参照）。
【００３５】
この状態において、支持軸５５ａ，５５ｂは、観察光軸Ａを直交する方向（矢印Ｓ方向に平行な水平方向）に沿って更に延出しているカム溝５９ａ，５９ｂの部分（以下、水平部という）に位置付けられているため、支持軸５５ａ，５５ｂを介して光学素子取付体５１に取り付けられた高倍対物レンズ１５は、その下端がディッシュ７から一定距離だけ離間（退避）した状態に維持される。
【００３６】
このとき、標本５の広範囲観察が可能となる。
そして、再び、標本５の細部観察を行う場合、操作レバー６３を手前に引き出して移動部材４３を平行直線移動させ、その当付面４３ａがストッパ７３に当て付いたとき、クリックバネ７１がクリック溝６９に嵌入することによって、ストッパ７３に移動部材４３の当付面４３ａが圧接される。このとき、観察光軸Ａ上には、高倍対物レンズ１５が位置付けられる。
【００３７】
このような動作中、支持軸５５ａ，５５ｂは、カム溝５９ａ，５９ｂの水平部に沿って移動した後、高倍対物レンズ１５が観察光軸Ａ上に位置付けられたときに、観察光軸Ａに沿って延出しているカム溝５９ａ，５９ｂの部分に位置づけられる。
【００３８】
この状態において、支持軸５５ａ，５５ｂは、カム溝５９ａ，５９ｂに沿って下方に落下可能な状態に維持される。そこで、操作レバー６３を上方へ持ち上げると、操作レバー６３は、回転軸６１ａ，６１ｂを中心に回転し、その先端側が下方に移動するため、支持軸５５ａ，５５ｂは、カム溝５９ａ，５９ｂに沿って下方に移動する。このとき、支持軸５５ａ，５５ｂによって支持された光学素子取付体５１が、観察光軸Ａに沿って下方に移動し、そのテーパ面５１ａが嵌合孔４９のテーパ面４９ａに当接することによって、高倍対物レンズ１５は、観察光軸Ａ上の所定位置に位置付けられる。このとき、高倍対物レンズ１５と低倍対物レンズ１７のピント位置が同じになり、高倍対物レンズ１５による標本５の細部の観察が可能となる。
【００３９】
このように本実施の形態によれば、一般的に作動距離（ＷＤ）の大きい低倍対物レンズ１７と一般的に作動距離（ＷＤ）小さい高倍対物レンズ１５を切り変える場合には、必ず高倍対物レンズ１５を上方に退避させなければならないため、標本５よりも高さのあるディッシュ７に誤って高倍対物レンズ１５が干渉することを防止できる。
【００４０】
また、低倍対物レンズ１７での観察時において、高倍対物レンズ１５を上方に退避させた状態に維持できるため、ディッシュ７より奥側（観察者とは逆側）に標本操作具を配置させることも可能となる。
【００４１】
更に、２つの対物レンズ１５，１７が両方とも観察光軸Ａ上にない状態では、高倍対物レンズ１５が退避しているため、標本交換がスムーズに且つ簡単にできる。
【００４２】
なお、支持軸５５ａ，５５ｂ、回転軸６１ａ，６１ｂ、操作レバー６３の先端側の長穴６５ａ，６５ｂは、必ずしも移動部材４３の両側に設ける必要は無く、片側のみに配置した場合でも上記実施の形態と同様の作用効果が得られる。
【００４３】
また、上述した実施の形態では、対物レンズ上下動式正立顕微鏡に光学素子切換装置１３を組み込んだ例を示したが、ステージ上下動式光学顕微鏡にも本実施の形態の光学素子切換装置１３を組み込むことが可能である。
【００４４】
次に、本発明の第２の実施の形態に係る光学素子切換装置について、図５〜図７を参照して説明する。
本実施の形態は、案内部材の改良に係り、その他の構成は、第１の実施の形態と同一であるため、同一の構成には同一符号を付すと共に、以下の説明では、改良に係る案内部材の説明に止める。
【００４５】
本実施の形態に適用した案内部材は、観察光軸Ａに直交する方向に対して全体的に斜め上方に傾斜して形成されたカム溝７７ａ，７７ｂを適用して構成されており、これらカム溝７７ａ，７７ｂは、夫々、第１及び第２の傾斜部７９，８３と、これら第１及び第２の傾斜部７９，８３の間に形成された窪み部８１とから構成されている。なお、第１の傾斜部７９は、第２の傾斜部８３よりも傾き角度が大きくなっている。
【００４６】
また、本実施の形態において、操作レバー６３は、移動部材４３に固定されている。
次に、本実施の形態に適用した案内部材の動作について簡単に説明する。
【００４７】
図５及び図７（ａ）には、高倍対物レンズ１５が観察光軸Ａ上に位置付けられた状態が、また、図７（ｂ）には、低倍対物レンズ１７が観察光軸Ａ上に位置付けられた状態が示されている。
【００４８】
いま、図５及び図７（ａ）の状態から、操作レバー６３を押し込んで移動部材４３を矢印Ｓ方向に平行直線移動させて、その当付面４３ｂをストッパ７５に当て付けると、この動作中、支持軸５５ａ，５５ｂは、第１の傾斜部７９から窪み部８１を経て第２の傾斜部８３に連続的に斜め上方に移動する。
【００４９】
このような支持軸５５ａ，５５ｂの斜め上方への移動に伴って、これら支持軸５５ａ，５５ｂで支持された光学素子取付体５１は、観察光軸Ａに沿って上方に移動する。この結果、高倍対物レンズ１５の下端がディッシュ７から一定距離だけ離間（退避）した状態に位置付けられる。そして、クリックバネ７１がクリック溝６７に嵌入して、ストッパ７５に移動部材４３の当付面４３ｂが圧接したとき、観察光軸Ａ上には、低倍対物レンズ１７が位置付けられる（図７（ｂ）参照）。
【００５０】
この状態から、操作レバー６３を手前に引き出して移動部材４３を平行直線移動させると、支持軸５５ａ，５５ｂは、第２の傾斜部８３に沿って斜め下方に移動し、窪み部８１で一旦停止する。この状態では、いずれの対物レンズ１５，１７も観察光軸Ａ上に位置付けられていないため、即ち、高倍対物レンズ１５が退避した状態にあるため、標本交換がスムーズに且つ簡単にできる。
【００５１】
続いて、更に操作レバー６３を手前に引き出すと、支持軸５５ａ，５５ｂは、窪み部８１を乗り越えて第１の傾斜部７９に沿って更に斜め下方に移動する。そして、クリックバネ７１がクリック溝６９に嵌入して、ストッパ７３に移動部材４３の当付面４３ａが圧接したとき、観察光軸Ａ上には、高倍対物レンズ１５が位置付けられる（図５及び図７（ａ）参照）。
【００５２】
このとき、光学素子取付体５１のテーパ面５１ａが嵌合孔４９のテーパ面４９ａに当接することによって、高倍対物レンズ１５は、観察光軸Ａ上の所定位置に位置付けられる。即ち、高倍対物レンズ１５と低倍対物レンズ１７のピント位置が同じになり、高倍対物レンズ１５による標本５の細部の観察が可能となる。
【００５３】
このように本実施の形態によれば、操作レバー６３を一方向へ押し戻し操作するだけで、対物レンズ切換動作と同時に対物レンズ退避動作も連動して行うことが出きるため、切換操作の簡略化及び切換操作時間の短縮化を実現することができる。
【００５４】
また、カム溝の形状によって対物レンズの退避の軌跡を自由に設定することができるため、使用する標本操作具の種類や大きさに応じた退避動作を簡単に実現できる。
【００５５】
更に、操作レバー６３の形状が簡単であり、装置の製造コストを低減することができる。
また、本実施の形態は、第１の実施の形態と同様に、ステージ上下動式光学顕微鏡に組み合わせても同様の作用効果が得られる。
【００５６】
なお、その他の作用効果は、第１の実施の形態と同様であるため、その説明は省略する。
次に、本発明の第３の実施の形態に係る光学素子切換装置について、図８を参照して説明する。
【００５７】
図８に示すように、本実施の形態は、基本的に第２の実施の形態の変形例であるため、以下の説明では、異なる部位のみの説明に止める。
即ち、本実施の形態の光学素子切換装置１３は、第１の光学素子取付部４５（図７参照）の代わりに、第２の光学素子取付部４７と同一の構成を有する光学素子取付部４７´が設けられている。
【００５８】
この光学素子取付部４７´には、移動部材４３に一体成形された嵌合孔４９´に対して観察光軸Ａ方向に沿って移動自在に嵌合した光学素子取付体５１´が設けられており、この光学素子取付体５１´には、例えば高倍対物レンズ１５又は低倍対物レンズ１７を着脱自在に選択的に取り付けるためのネジ部５３´が設けられている。
【００５９】
また、嵌合孔４９´と光学素子取付体５１´には、夫々テーパ面４９ａ´，５１ａ´が設けられており、これらテーパ面４９ａ´，５１ａ´が相互に接することによって、光学素子取付体５１´の光軸方向Ａの下端位置が決まるようになっている。なお、テーパ面４９ａ´，５１ａ´が相互に接した状態において、光学素子取付体５１´の下端位置と光学素子取付体５１の下端位置とは、互いに同一位置に位置付けられ、この状態において、高倍対物レンズ１５と低倍対物レンズ１７のピント位置が同じになるようになっている。
【００６０】
また、光学素子取付体５１´には、観察光軸Ａに直交し且つ移動部材４３の移動方向Ｓに直交する方向に沿って、その両側に支持軸５５ａ´，５５ｂ´が接続されており、これら支持軸５５ａ´，５５ｂ´は、夫々、移動部材４３に形成された切欠部（図示しない）を介して固定枠３９の内面に設けられた案内部材に係合している。
【００６１】
本実施の形態において、案内部材は、第２の実施の形態に適用したカム溝７７ａ，７７ｂと同一の形状を成し且つこれらカム溝７７ａ，７７ｂとは反対方向に延出したカム溝７７ａ´，７７ｂ´を適用して構成されている。
【００６２】
具体的には、本実施の形態に適用したカム溝７７ａ´，７７ｂ´は、カム溝７７ａ，７７ｂから連続して形成され且つカム溝７７ａ，７７ｂに対して対称形状を成しており、これらカム溝７７ａ，７７ｂと同様に、観察光軸Ａに直交する方向に対して全体的に斜め上方に傾斜して形成されている。
【００６３】
即ち、本実施の形態に適用したカム溝７７ａ´，７７ｂ´は、夫々、第１及び第２の傾斜部７９´，８３´と、これら第１及び第２の傾斜部７９´，８３´の間に形成された窪み部８１´とから構成されている。
【００６４】
次に、本実施の形態に適用した案内部材の動作について簡単に説明する。
いま、図８の状態から、操作レバー６３を操作して移動部材４３を平行直線移動させると、この動作中、支持軸５５ａ，５５ｂは、第１の傾斜部７９から窪み部８１を経て第２の傾斜部８３に連続的に斜め上方に移動する。このような支持軸５５ａ，５５ｂの斜め上方への移動に伴って、これら支持軸５５ａ，５５ｂで支持された光学素子取付体５１は、観察光軸Ａに沿って上方に移動する。
【００６５】
そして同時に、支持軸５５ａ´，５５ｂ´は、第２の傾斜部８３´から窪み部８１´を経て第１の傾斜部７９´に連続的に斜め下方に移動する。このような支持軸５５ａ´，５５ｂ´の斜め下方への移動に伴って、これら支持軸５５ａ´，５５ｂ´で支持された光学素子取付体５１´は、観察光軸Ａに沿って下方に移動する。
【００６６】
即ち、対物レンズの切り換えを行った場合、光学素子取付体５１が観察光軸Ａ上に位置付けられたときには、他方の光学素子取付体５１´は上方へ退避し、光学素子取付体５１´が観察光軸Ａ上に位置付けられたときには、他方の光学素子取付体５１は上方へ退避する。
【００６７】
また、対物レンズを切り換える中間位置、即ち、支持軸５５ａ，５５ｂが窪み部８１に位置付けられ同時に支持軸５５ａ´，５５ｂ´が窪み部８１´に位置付けられた状態では、双方の光学素子取付体５１，５１´は、共に上方へ退避した状態に維持される。
【００６８】
このように本実施の形態によれば、第１及び２実施の形態の作用効果に加えて更に、双方の光学素子取付体５１，５１´を選択的に且つ互いに連動させて退避させることができるため、例えば作動距離（ＷＤ）の短い高倍の対物レンズ同士を組み合わせた場合でもディッシュ７と対物レンズとの干渉を防止することが可能となる。
【００６９】
次に、本発明の第４の実施の形態に係る光学素子切換装置について、図９及び図１０を参照して説明する。
なお、本実施の形態の説明に際し、第１の実施の形態と同一の構成には、同一符号を付して、その説明を省略する。
【００７０】
本実施の形態において、光学素子取付体５１には、観察光軸Ａに直交し且つ移動部材４３の移動方向Ｓに直交する方向に沿って、その片側に支持軸８５が接続されており、この支持軸８５は、移動部材４３に形成された切欠部８７を介して固定枠３９の片側に設けられた案内部材に係合している。
【００７１】
本実施の形態において、案内部材は、その一例として、固定枠３９の内面に形成したカム溝８９と、固定枠３９の内側に配置したリンク機構９１とを適用して構成されている。
【００７２】
カム溝８９は、第１の実施の形態と同一形状を成しており、観察光軸Ａ方向に沿って延出した後、観察光軸Ａを直交する方向（矢印Ｓ方向に平行な水平方向）に沿って更に延出している。
【００７３】
リンク機構９１は、支持軸８５を持ち上げることができるように形成された操作用リンク９３と、この操作用リンク９３を観察光軸Ａ方向に沿って平行移動可能に支持する一対の支持用リンク９５，９７とから構成されている。そして、操作用リンク９３を矢印Ｒ方向に移動することによって、支持軸８５をカム溝８９に沿って観察光軸Ａ方向に持ち上げて、光学素子取付体５１を観察光軸Ａ方向に沿って上方に移動させることができるようになっている。
【００７４】
即ち、光学素子取付体５１に高倍対物レンズ１５が取り付けられている場合、このリンク機構９１は、対物レンズ切換時に、高倍対物レンズ１５の下端をディッシュ７（図１参照）から一定距離だけ離間（退避）させて、高倍対物レンズ１５をディッシュ７に対して干渉させること無く平行直進移動可能な状態に保持することができるように構成されている。
【００７５】
そして、このような操作用リンク９３の退避状態が維持されるように、固定枠３９には、バネ機構が設けられている。
本実施の形態では、バネ機構として、その一端が固定枠３９にネジ止めされ、その先端が弾性変形自在な屈曲バネ９９を適用している（図１０（ｂ）参照）。
【００７６】
このような屈曲バネ９９を用いた場合において、屈曲バネ９９の屈曲部９９ａを乗り越えるように操作用リンク９３を矢印Ｒ方向に移動させることによって、操作用リンク９３を持ち上げた状態（即ち、光学素子取付体５１を観察光軸Ａ方向に沿って上方に移動させた状態）に維持させることができる。
【００７７】
また、本実施の形態において、操作レバー６３は、移動部材４３に固定されている。
次に、本実施の形態に適用した案内部材の動作について簡単に説明する。
【００７８】
まず、図９に示すような標本５に対する細部観察可能な状態（即ち、高倍対物レンズ１５が観察光軸Ａ上に位置付けられた状態）から、標本５の広範囲を観察できるように対物レンズ１５，１７を切り換える場合を想定する。
【００７９】
まず、操作用リンク９９を矢印Ｒ方向に持ち上げて退避状態に維持させる。このとき、高倍対物レンズ１５の下端がディッシュ７（図１参照）から一定距離だけ離間（退避）して、高倍対物レンズ１５がディッシュ７に対して干渉すること無く平行直進移動可能な状態に保持される。
【００８０】
次に、操作レバー６３を押し込んで移動部材４３を矢印Ｓ方向に平行直線移動させて、その当付面４３ｂをストッパ７５に当て付けると、観察光軸Ａ上には、低倍対物レンズ１７が位置付けられ、標本５の広範囲観察が可能となる。
【００８１】
このとき、支持軸８５は、観察光軸Ａを直交する方向（矢印Ｓ方向に平行な水平方向）に沿って更に延出しているカム溝８９の水平部分に位置付けられているため、誤って操作用リンク９３を下方に押し下げても、支持軸８５で支持された光学素子取付体５１は、ディッシュ７から一定距離だけ離間（退避）した状態に維持される。
【００８２】
再び、標本５の細部観察を行う場合、操作レバー６３を手前に引き出して移動部材４３を矢印Ｓ方向に平行直線移動させて、その当付面４３ａをストッパ７３に当て付けた後、操作用リンク９３を下方（矢印Ｒ方向とは逆方向）に押し下げると、支持軸８５の下降動作に伴って光学素子取付体５１が下方に移動して、観察光軸Ａ上に高倍対物レンズ１５が位置付けられる。
なお、その他の作用及び本実施の形態の効果は、第１の実施の形態と同様であるため、その説明は省略する。
【００８３】
【発明の効果】
本発明によれば、光学素子と対象物とを干渉させること無く、光学素子を適宜選択的に切り換えることが可能な光学素子切換装置を提供することができる。
【図面の簡単な説明】
【図１】本発明の第１の実施の形態に係る光学素子切換装置が組み込まれた対物レンズ上下動式正立顕微鏡の構成を示す図。
【図２】図１に示された光学素子切換装置の構成を示す断面図。
【図３】（ａ）は、図１に示された光学素子切換装置の構成を部分的に断面して示す平面図、（ｂ）は、同図（ａ）のｂ−ｂ線に沿う断面図。
【図４】（ａ），（ｂ）は、光学素子切換装置の動作説明図。
【図５】本発明の第２の実施の形態に係る光学素子切換装置の構成を示す断面図。
【図６】（ａ）は、図５に示された光学素子切換装置の構成を部分的に断面して示す平面図、（ｂ）は、同図（ａ）のｂ−ｂ線に沿う断面図。
【図７】（ａ），（ｂ）は、光学素子切換装置の動作説明図。
【図８】本発明の第３の実施の形態に係る光学素子切換装置の構成を示す断面図。
【図９】本発明の第４の実施の形態に係る光学素子切換装置の構成を示す断面図。
【図１０】（ａ）は、図９に示された光学素子切換装置の構成を部分的に断面して示す平面図、（ｂ）は、操作用リンクを退避状態に維持させるためのバネ機構の構成を示す斜視図、（ｃ）は、同図（ａ）のｃ−ｃ線に沿う断面図。
【符号の説明】
３９  固定枠
４３  移動部材
５９ａ，５９ｂ  カム溝
【図１】
0004128259.tif 000002
【図２】
0004128259.tif 000003
【図３】
0004128259.tif 000004
【図４】
0004128259.tif 000005
【図５】
0004128259.tif 000006
【図６】
0004128259.tif 000007
【図７】
0004128259.tif 000008
【図８】
0004128259.tif 000009
【図９】
0004128259.tif 000010
【図１０】
0004128259.tif 000011